(57)【要約】【課題】より運転効率の向上を図ることが可能な吸収式冷温水システムを提供する。【解決手段】吸収式冷温水システム１は、太陽熱集熱器１１から１２蓄熱槽までの流路上に設けられた切替弁３１と、蓄熱槽１２から吸収式冷温水機２１に熱媒を供給する流路２２ａと切替弁３１とを接続するバイパス流路３２と、太陽熱集熱器１１からの熱媒の温度を検出する集熱器温度センサ３３と、蓄熱槽１２内の熱媒の温度を検出する蓄熱槽温度センサ３４と、集熱器温度センサ３３により検出された熱媒温度が蓄熱槽温度センサ３４により検出された熱媒温度よりも所定温度以上高い場合に、切替弁３１を制御して前記バイパス流路３２を通じて太陽熱集熱器１１からの熱媒を吸収式冷温水機２１の再生器に供給させるシステムコントローラ３６とを備える。【選択図】図１
2015081728.tif 000002
【特許請求の範囲】
【請求項１】
機器からの排熱又はエネルギー源として永続的に利用可能な再生可能エネルギーにより熱媒を加熱する集熱器と、前記集熱器にて加熱された熱媒を導入して蓄熱する蓄熱槽と、前記蓄熱槽から前記集熱器を経て再度前記蓄熱槽に熱媒を循環させる第１ポンプと、を有する第１システムと、
前記蓄熱槽内の熱媒を導入して再生器における希溶液を加熱し、当該再生器、凝縮器、蒸発器、及び吸収器の循環サイクルによって冷温液を得る吸収式冷温水機と、前記蓄熱槽から前記吸収式冷温水機の前記再生器を経て再度前記蓄熱槽に熱媒を循環させる第２ポンプと、を有する第２システムと、
を備えた吸収式冷温水システムであって、
前記集熱器から前記蓄熱槽までの流路上に設けられた切替弁と、
前記蓄熱槽から前記吸収式冷温水機に熱媒を供給する流路と前記切替弁とを接続するバイパス流路と、
前記集熱器からの熱媒の温度を検出する第１温度センサと、
前記蓄熱槽内の熱媒の温度を検出する第２温度センサと、
前記第１温度センサにより検出された熱媒温度が前記第２温度センサにより検出された熱媒温度よりも所定温度以上高い場合に、前記切替弁を制御して前記バイパス流路を通じて前記集熱器からの熱媒を前記吸収式冷温水機の再生器に供給させる制御手段と、
を備えることを特徴とする吸収式冷温水システム。
【請求項２】
前記制御手段は、前記第１温度センサにより検出された熱媒温度が前記第２温度センサにより検出された熱媒温度以下である場合、前記切替弁を制御して前記集熱器からの熱媒を前記蓄熱槽に供給させ、前記第１温度センサにより検出された熱媒温度が前記第２温度センサにより検出された熱媒温度よりも所定温度以上高くなく、且つ、前記第１温度センサにより検出された熱媒温度が前記第２温度センサにより検出された熱媒温度以下でない場合、前記切替弁を現在の状態で維持する
ことを特徴とする請求項１に記載の吸収式冷温水システム。
【請求項３】
前記制御手段は、前記第１温度センサにより検出された熱媒温度が、吸収式冷温水機に供給すべき適正温度である熱媒許容温度の上限値以上である場合、前記切替弁を制御して前記集熱器からの熱媒を前記蓄熱槽に供給させる
ことを特徴とする請求項１又は請求項２のいずれかに記載の吸収式冷温水システム。
【請求項４】
前記制御手段は、前記バイパス流路を通じて前記集熱器からの熱媒を前記吸収式冷温水機の再生器に供給する場合、前記第２ポンプを動作させず、前記第１ポンプを動作させる
ことを特徴とする請求項１から請求項３のいずれか１項に記載の吸収式冷温水システム。
【発明の詳細な説明】
【技術分野】
【０００１】
本発明は、吸収式冷温水システムに関する。
【背景技術】
【０００２】
従来、太陽光の受光によって熱媒を加熱する太陽熱集熱器と、太陽熱集熱器にて加熱された熱媒を導入して蓄熱する蓄熱槽と、を備えた太陽熱利用システムが提案されている。また、このような太陽熱利用システムには、蓄熱槽と吸収式冷温水機との間を配管接続し、これらの間で熱媒を循環させることにより、吸収式冷温水機の再生器において希溶液の加熱に利用する吸収式冷温水システムについても提案されている（特許文献１参照）。
【０００３】
この吸収式冷温水システムによれば、太陽熱という再生可能エネルギーを利用して希溶液を加熱することができ、希溶液の加熱に要する燃料費を削減することができる。さらに、太陽熱集熱器と吸収式冷温水機との間には蓄熱槽が介在することとなり、これがバッファの役目をするため、日射量に左右されることなく、蓄熱槽から比較的高温の熱媒を吸収式冷温水機に供給することができる。すなわち、日射量が小さい場合に、太陽熱集熱器から吸収式冷温水機に直接熱媒を供給すると、温度が低い熱媒が吸収式冷温水機に供給されることとなり、効率の良い運転を行うことができなくなってしまうが、蓄熱槽を備えることにより安定的な温度の熱媒を吸収式冷温水機に供給できるため、効率の良い運転を行うことができる。
【先行技術文献】
【特許文献】
【０００４】
【特許文献１】特開２０１２−１２７５７４号公報
【発明の概要】
【発明が解決しようとする課題】
【０００５】
ここで、吸収式冷温水システムでは、日射量が大きい場合、太陽熱集熱器からの熱媒が蓄熱槽からの熱媒よりも高温となる。このため、太陽熱集熱器から直接吸収式冷温水機に熱媒を供給した方が吸収式冷温水機において効率の良い運転を行うことができる。
【０００６】
しかし、従来の吸収式冷温水システムでは、日射量が大きい場合であっても、蓄熱槽からの熱媒を吸収式冷温水機の再生器に供給することとなるため、効率面において向上の余地があるものであった。
【０００７】
なお、上記問題は、太陽熱利用システムにより熱媒を加熱する方式に限らず、排熱を利用して熱媒を加熱して蓄熱するシステムや、地熱やバイオマスなどの再生可能エネルギーを利用して熱媒を加熱して蓄熱するシステムを有する吸収式冷温水システムにおいても共通する問題である。
【０００８】
本発明はこのような従来の課題を解決するためになされたものであり、その目的とするところは、より運転効率の向上を図ることが可能な吸収式冷温水システムを提供することにある。
【課題を解決するための手段】
【０００９】
本発明の吸収式冷温水システムは、機器からの排熱又はエネルギー源として永続的に利用可能な再生可能エネルギーにより熱媒を加熱する集熱器と、前記集熱器にて加熱された熱媒を導入して蓄熱する蓄熱槽と、前記蓄熱槽から前記集熱器を経て再度前記蓄熱槽に熱媒を循環させる第１ポンプと、を有する第１システムと、前記蓄熱槽内の熱媒を導入して再生器における希溶液を加熱し、当該再生器、凝縮器、蒸発器、及び吸収器の循環サイクルによって冷温液を得る吸収式冷温水機と、前記蓄熱槽から前記吸収式冷温水機の前記再生器を経て再度前記蓄熱槽に熱媒を循環させる第２ポンプと、を有する第２システムと、を備えた吸収式冷温水システムであって、前記集熱器から前記蓄熱槽までの流路上に設けられた切替弁と、前記蓄熱槽から前記吸収式冷温水機に熱媒を供給する流路と前記切替弁とを接続するバイパス流路と、前記集熱器からの熱媒の温度を検出する第１温度センサと、前記蓄熱槽内の熱媒の温度を検出する第２温度センサと、前記第１温度センサにより検出された熱媒温度が前記第２温度センサにより検出された熱媒温度よりも所定温度以上高い場合に、前記切替弁を制御して前記バイパス流路を通じて前記集熱器からの熱媒を前記吸収式冷温水機の再生器に供給させる制御手段と、を備えることを特徴とする。
【００１０】
本発明の吸収式冷温水システムによれば、第１温度センサにより検出された熱媒温度が第２温度センサにより検出された熱媒温度よりも所定温度以上高い場合に、切替弁を制御してバイパス流路を通じて集熱器からの熱媒を吸収式冷温水機の再生器に供給させるため、集熱器からの熱媒が蓄熱槽からの熱媒よりも高温となる状況において、集熱器から直接吸収式冷温水機に熱媒を供給することとなり、吸収式冷温水機においてより効率の良い運転を行うことができる。従って、より運転効率の向上を図ることが可能な吸収式冷温水システムを提供することができる。
【００１１】
また、本発明の吸収式冷温水システムにおいて、前記制御手段は、前記第１温度センサにより検出された熱媒温度が前記第２温度センサにより検出された熱媒温度以下である場合、前記切替弁を制御して前記集熱器からの熱媒を前記蓄熱槽に供給させ、前記第１温度センサにより検出された熱媒温度が前記第２温度センサにより検出された熱媒温度よりも所定温度以上高くなく、且つ、前記第１温度センサにより検出された熱媒温度が前記第２温度センサにより検出された熱媒温度以下でない場合、前記切替弁を現在の状態で維持することが好ましい。
【００１２】
この吸収式冷温水システムによれば、第１温度センサにより検出された熱媒温度が第２温度センサにより検出された熱媒温度以下である場合、集熱器からの熱媒を蓄熱槽に供給させる。さらに、第１温度センサにより検出された熱媒温度が第２温度センサにより検出された熱媒温度よりも所定温度以上高くなく、且つ、第１温度センサにより検出された熱媒温度が第２温度センサにより検出された熱媒温度以下でない場合、切替弁を現在の状態で維持する。このように、切替弁の制御には、温度ヒステリシスを設けることとなり、頻繁に切替弁が切り替わってしまうことを防止することができる。
【００１３】
また、本発明の吸収式冷温水システムにおいて、前記制御手段は、前記第１温度センサにより検出された熱媒温度が、吸収式冷温水機に供給すべき適正温度である熱媒許容温度の上限値以上である場合、前記切替弁を制御して前記集熱器からの熱媒を前記蓄熱槽に供給させることが好ましい。
【００１４】
この吸収式冷温水システムによれば、第１温度センサにより検出された熱媒温度が、吸収式冷温水機に供給すべき適正温度である熱媒許容温度の上限値以上である場合、切替弁を制御して集熱器からの熱媒を蓄熱槽に供給させる。このため、たとえ第１温度センサにより検出された熱媒温度が第２温度センサにより検出された熱媒温度よりも所定温度以上高く、バイパス流路を通じて集熱器からの熱媒を吸収式冷温水機の再生器に供給させている状況であっても、第１温度センサにより検出された熱媒温度が熱媒許容温度の上限値以上である場合には、熱媒を蓄熱槽に供給させることとなる。これにより、再生器において濃溶液が濃くなりすぎるなど、吸収式冷温水機にダメージを与えてしまうことを防止することができる。
【００１５】
また、本発明の吸収式冷温水システムにおいて、前記制御手段は、前記バイパス流路を通じて前記集熱器からの熱媒を前記吸収式冷温水機の再生器に供給する場合、前記第２ポンプを動作させず、前記第１ポンプを動作させることが好ましい。
【００１６】
この吸収式冷温水システムによれば、バイパス流路を通じて集熱器からの熱媒を吸収式冷温水機の再生器に供給する場合、第２ポンプを動作させず、第１ポンプを動作させるため、２つのポンプのうち一方のみを動作させることにより、集熱器からの熱媒を吸収式冷温水機の再生器に供給することができる。
【００１７】
なお、上記において、「再生器、凝縮器、蒸発器、及び吸収器の循環サイクルによって冷温液を得る」とは、再生器、凝縮器、蒸発器、及び吸収器による冷房サイクルにより冷却液を得る場合と、再生器、蒸発器、及び吸収器による暖房サイクルによる加熱液を得る場合（すなわち凝縮器を用いない場合）との双方を含む概念である。
【００１８】
さらに、上記において吸収式冷温水機とは、冷却液を得るのみの吸収式冷凍機を含む概念である。従って、冷温液とは冷却液のみを意味することもあり、且つ、吸収式冷温水システムは吸収式冷凍システムを意味することもある。
【発明の効果】
【００１９】
本発明によれば、より運転効率の向上を図ることが可能な吸収式冷温水システムを提供することができる。
【図面の簡単な説明】
【００２０】
【図１】本発明の実施形態に係る吸収式冷温水システムの概略構成図である。
【図２】吸収式冷温水機の一例を示す概略構成図である。
【図３】本実施形態に係る吸収式冷温水システムの制御方法を示すフローチャートである。
【発明を実施するための形態】
【００２１】
以下、本発明の好適な実施形態を図面に基づいて説明する。図１は、本発明の実施形態に係る吸収式冷温水システムの概略構成図である。図１に示すように、本実施形態に係る吸収式冷温水システム１は、太陽熱を利用して吸収式冷温水機２１の希溶液を加熱するものであって、第１システム１０と、第２システム２０とを備えている。
【００２２】
第１システム１０は、太陽熱を利用して熱媒を加熱するものであって、太陽熱集熱器（集熱器）１１と、蓄熱槽１２と、集熱流路１３と、集熱ポンプ（第１ポンプ）１４とを備えている。なお、本実施形態において第１システム１０は、太陽熱を利用して熱媒を加熱するものであるが、これに限らず、排熱を利用して熱媒を加熱するものであってもよいし、地熱、バイオマス等の再生可能エネルギー（エネルギー源として永続的に利用可能なもの）を利用して熱媒を加熱するものであってもよい。
【００２３】
太陽熱集熱器１１は、太陽光を受光することで熱媒を加熱するものであって、例えば屋根の上などの太陽光を受光し易い位置に設置されるものである。なお、熱媒は、水、不凍液、及びプロピレングリコール水溶液などが用いられる。
【００２４】
蓄熱槽１２は、太陽熱集熱器１１にて加熱された熱媒を導入して蓄熱するものである。この蓄熱槽１２は、熱媒を内部に貯めるタンクである。
【００２５】
集熱流路１３は、蓄熱槽１２から太陽熱集熱器１１を経て再度蓄熱槽１２に熱媒を循環させる配管である。このうち、蓄熱槽１２から太陽熱集熱器１１に向かう流路を第１集熱流路１３ａと称し、太陽熱集熱器１１から蓄熱槽１２に向かう流路を第２集熱流路１３ｂと称する。
【００２６】
集熱ポンプ１４は、集熱流路１３のうち第１集熱流路１３ａに設けられており、蓄熱槽１２から太陽熱集熱器１１を経て再度蓄熱槽１２に熱媒を循環させる動力源となるものである。
【００２７】
このような第１システム１０では、集熱ポンプ１４が動作することにより、集熱流路１３を熱媒が循環する。熱媒は太陽熱集熱器１１によって加熱され、第２集熱流路１３ｂを通じて蓄熱槽１２に至り、蓄熱槽１２において貯められることとなる。
【００２８】
第２システム２０は、蓄熱槽１２に貯められている熱媒を吸収式冷温水機２１に供給するものであって、吸収式冷温水機２１と、熱媒流路２２と、熱媒ポンプ（第２ポンプ）２３とを備えている。
【００２９】
吸収式冷温水機２１は、再生器における希溶液を加熱し、当該再生器、凝縮器、蒸発器、及び吸収器の循環サイクルによって冷媒を冷却するものである。
【００３０】
図２は、吸収式冷温水機２１の一例を示す概略構成図である。具体的に、再生器１０１は、例えば冷媒となる水（以下、冷媒が蒸気化したものを冷媒蒸気と称し、冷媒が液化したものを液冷媒と称する）と、吸収液となる臭化リチウム（ＬｉＢｒ）とが混合された希溶液（吸収液の濃度が低い溶液）を加熱するものである。この再生器１０１には熱媒配管２２が配置されており、熱媒配管２２上に希溶液が散布され加熱される。再生器１０１は、この加熱により希溶液から蒸気を放出させることにより、冷媒蒸気と濃溶液（吸収液の濃度が高い溶液）とを生成する。
【００３１】
凝縮器１０２は、再生器１０１から供給された冷媒蒸気を液化させるものである。この凝縮器１０２内には、第１冷水伝熱管１０２ａが挿通されている。第１冷水伝熱管１０２ａには冷却塔などから冷却水が供給されており、蒸発した冷媒蒸気は第１冷水伝熱管１０２ａ内の冷却水によって液化する。さらに、凝縮器１０２にて液化した液冷媒は蒸発器１０３に供給される。
【００３２】
蒸発器１０３は、液冷媒を蒸発させるものである。この蒸発器１０３内には、室内機等に接続される第２冷水伝熱管１０３ａが設けられている。この第２冷水伝熱管１０３ａは、例えば室内機と接続されており、室内機による冷却によって暖められた水が流れている。また、蒸発器１０３内は、真空状態となっている。このため、冷媒である水の蒸発温度は約５℃となる。よって、第２冷水伝熱管１０３ａ上に散布された液冷媒は第２冷水伝熱管１０３ａの温度によって蒸発することとなる。また、第２冷水伝熱管１０３ａ内の水は、液冷媒の蒸発によって温度が奪われる。これにより、第２冷水伝熱管１０３ａの水は冷水（冷温液の一例）として室内機に供給され、室内機は冷水を利用して冷風を室内に供給することとなる。
【００３３】
吸収器１０４は、蒸発器１０３において蒸発した冷媒を吸収するものである。この吸収器１０４内には再生器１０１から濃溶液が供給され、蒸発した冷媒は濃溶液によって吸収され、希溶液が生成される。また、吸収器１０４には、第３冷水伝熱管１０４ａが挿通されている。第３冷水伝熱管１０４ａには冷却水が流れており、濃溶液の冷媒の吸収により生じる吸収熱は、第３冷水伝熱管１０４ａの冷却水により除去される。なお、この第３冷水伝熱管１０４ａは、第１冷水伝熱管１０２ａと接続されている。また、吸収器１０４は、冷媒の吸収により濃度が低下した希溶液をポンプ１０４ｂによって再生器１０１に供給する。
【００３４】
なお、上記では冷房運転を説明したが、吸収式冷温水機２１は暖房運転も可能である。ここで、暖房運転を行う場合には、図示しない切替弁を切り替えることとなる。そして、切替弁を切り替えた場合には第２冷水伝熱管１０３ａには温水（冷温液の一例）が流れ、室内機にて温水をもとに暖房効果が得られることとなる。
【００３５】
また、上記において第２冷水伝熱管１０３ａは室内機に接続されているが、これ限らず、工業用の冷却装置等と接続されていてもよい。
【００３６】
再度図１を参照する。熱媒流路２２は、蓄熱槽１２から吸収式冷温水機２１の再生器１０１を経て再度蓄熱槽１２に熱媒を循環させる配管である。このうち、蓄熱槽１２から吸収式冷温水機２１の再生器１０１に向かう流路を第１熱媒流路２２ａと称し、吸収式冷温水機２１の再生器１０１から蓄熱槽１２に向かう流路を第２熱媒流路２２ｂと称する。
【００３７】
熱媒ポンプ２３は、熱媒流路２２のうち第１熱媒流路２２ａに設けられており、蓄熱槽１２から吸収式冷温水機２１の再生器１０１を経て再度蓄熱槽１２に熱媒を循環させる動力源となるものである。
【００３８】
さらに、本実施形態において吸収式冷温水システム１は、切替弁３１と、バイパス流路３２と、集熱器温度センサ（第１温度センサ）３３と、蓄熱槽温度センサ（第２温度センサ）３４と、逆止弁３５と、システムコントローラ（制御手段）３６とを備えている。
【００３９】
切替弁３１は、太陽熱集熱器１１から蓄熱槽１２までの流路、すなわち第２集熱流路１３ｂ上に設けられた三方弁である。バイパス流路３２は、蓄熱槽１２から吸収式冷温水機２１に熱媒を供給する流路、すなわち第１熱媒流路２２ａと、切替弁３１を接続する配管である。切替弁３１はシステムコントローラ３６によって制御され、太陽熱集熱器１１によって加熱された熱媒を第２集熱流路１３ｂのみを通じて蓄熱槽１２に供給させたり、バイパス流路３２を通じて蓄熱槽１２を介することなく吸収式冷温水機２１の再生器１０１に供給したりする。
【００４０】
集熱器温度センサ３３は、太陽熱集熱器１１からの熱媒の温度を検出するものであって、熱媒温度に応じた信号をシステムコントローラ３６に送信するものである。蓄熱槽温度センサ３４は、蓄熱槽１２内の熱媒の温度を検出するものであって、熱媒温度に応じた信号をシステムコントローラ３６に送信するものである。
【００４１】
逆止弁３５は、第１熱媒流路２２とバイパス流路３２との接続点Ａよりも上流側、かつ、熱媒ポンプ２３よりも下流側に設けられて熱媒の逆流を防止するものである。
【００４２】
システムコントローラ３６は、ＣＰＵ（Central Processing Unit）を備え、集熱器温度センサ３３により検出される熱媒温度と、蓄熱槽温度センサ３４により検出される熱媒温度とに応じて、切替弁３１を制御するものである。
【００４３】
システムコントローラ３６は、集熱器温度センサ３３により検出された熱媒温度が蓄熱槽温度センサ３４により検出された熱媒温度よりも所定温度以上高い場合に、切替弁３１を制御してバイパス流路３２を通じて太陽熱集熱器１１からの熱媒を吸収式冷温水機２１の再生器１０１に供給させる。これにより、太陽熱集熱器１１からの熱媒が蓄熱槽１２からの熱媒よりも高温となる状況において、太陽熱集熱器１１から直接吸収式冷温水機２１に熱媒を供給することとなり、吸収式冷温水機２１においてより効率の良い運転を行わせることとなる。
【００４４】
また、システムコントローラ３６は、集熱器温度センサ３３により検出された熱媒温度が蓄熱槽温度センサ３４により検出された熱媒温度以下である場合、切替弁３１を制御して太陽熱集熱器１１からの熱媒を蓄熱槽１２に供給させる。よって、日射環境が悪く、太陽熱集熱器１１からの熱媒の温度が蓄熱槽１２からの熱媒の温度以下となる状況においては、太陽熱集熱器１１から直接吸収式冷温水機２１に熱媒を供給させることなく、効率が低下してしまう事態を防止することとなる。
【００４５】
なお、システムコントローラ３６は、集熱器温度センサ３３により検出された熱媒温度が蓄熱槽温度センサ３４により検出された熱媒温度よりも所定温度以上高くなく、且つ、集熱器温度センサ３３により検出された熱媒温度が蓄熱槽温度センサ３４により検出された熱媒温度以下でない場合、切替弁３１を現在の状態で維持する。すなわち、切替弁３１の制御には、温度ヒステリシスを設けることとなり、頻繁に切替弁３１が切り替わってしまうことを防止することとなる。
【００４６】
また、システムコントローラ３６は、バイパス流路３２を通じて太陽熱集熱器１１からの熱媒を吸収式冷温水機２１の再生器１０１に供給する場合、熱媒ポンプ２３を動作させず、集熱ポンプ１４を動作させる。これにより、２つのポンプ１４，２３のうち一方のみを動作させて、太陽熱集熱器１１からの熱媒を吸収式冷温水機２１の再生器１０１に供給することとなる。
【００４７】
次に、本実施形態に係る吸収式冷温水システム１の切替弁３１の制御方法を説明する。図３は、本実施形態に係る吸収式冷温水システム１の制御方法を示すフローチャートである。なお、図３に示す処理は、吸収式冷温水システム１が停止するまで、繰り返し実行される。また、図３においては集熱器温度センサ３３により検出された熱媒温度をＴ１（平均値はＴ１ａｖｅ）と示し、蓄熱槽温度センサ３４により検出された熱媒温度をＴ２（平均値はＴ２ａｖｅ）と示す。
【００４８】
まず、図３に示すように、システムコントローラ３６は、集熱器温度センサ３３により検出された熱媒温度Ｔ１が、吸収式冷温水機２１に供給すべき適正温度である熱媒許容温度の上限値以上であるかを判断する（Ｓ１）。上限値以上であると判断した場合（Ｓ１：ＹＥＳ）、システムコントローラ３６は、切替弁３１を蓄熱槽１２側に切り替える（Ｓ２）。そして、図３に示す処理は終了する。このとき、両ポンプ１４，２３は双方が運転状態となっている。
【００４９】
一方、集熱器温度センサ３３により検出された熱媒温度Ｔ１が上限値以上でないと判断した場合（Ｓ１：ＮＯ）、システムコントローラ３６は、集熱器温度センサ３３により検出された熱媒温度Ｔ１の移動平均温度Ｔ１ａｖｅが、蓄熱槽温度センサ３４により検出された熱媒温度Ｔ２の移動平均温度Ｔ２ａｖｅよりも所定温度ΔＴ以上高いかを判断する（Ｓ３）。
【００５０】
そして、所定温度ΔＴ以上高いと判断した場合（Ｓ３：ＹＥＳ）、システムコントローラ３６は、切替弁３１をバイパス流路３２側に切り替える（Ｓ４）。そして、図３に示す処理は終了する。このとき、集熱ポンプ１４は運転状態であるが、熱媒ポンプ２３は停止状態となる。
【００５１】
また、集熱器温度センサ３３により検出された熱媒温度Ｔ１の移動平均温度Ｔ１ａｖｅが、蓄熱槽温度センサ３４により検出された熱媒温度Ｔ２の移動平均温度Ｔ２ａｖｅよりも所定温度ΔＴ以上高くないと判断した場合（Ｓ３：ＮＯ）、システムコントローラ３６は、集熱器温度センサ３３により検出された熱媒温度Ｔ１の移動平均温度Ｔ１ａｖｅが、蓄熱槽温度センサ３４により検出された熱媒温度Ｔ２の移動平均温度Ｔ２ａｖｅ以下であるかを判断する（Ｓ５）。
【００５２】
集熱器温度センサ３３により検出された熱媒温度Ｔ１の移動平均温度Ｔ１ａｖｅが、蓄熱槽温度センサ３４により検出された熱媒温度Ｔ２の移動平均温度Ｔ２ａｖｅ以下であると判断した場合（Ｓ５：ＹＥＳ）、システムコントローラ３６は、切替弁３１を蓄熱槽１２側に切り替える（Ｓ２）。そして、図３に示す処理は終了する。このとき、両ポンプ１４，２３は双方が運転状態となる。
【００５３】
一方、集熱器温度センサ３３により検出された熱媒温度Ｔ１の移動平均温度Ｔ１ａｖｅが、蓄熱槽温度センサ３４により検出された熱媒温度Ｔ２の移動平均温度Ｔ２ａｖｅ以下でないと判断した場合（Ｓ５：ＮＯ）、システムコントローラ３６は、切替弁３１を現在の状態で維持する（Ｓ６）。そして、図３に示す処理は終了する。このとき、両ポンプ１４，２３の状態も維持されることとなる。
【００５４】
このようにして、本実施形態に係る吸収式冷温水システム１によれば、集熱器温度センサ３３により検出された熱媒温度Ｔ１が蓄熱槽温度センサ３４により検出された熱媒温度Ｔ２よりも所定温度ΔＴ以上高い場合に、切替弁３１を制御してバイパス流路３２を通じて太陽熱集熱器１１からの熱媒を吸収式冷温水機２１の再生器１０１に供給させるため、太陽熱集熱器１１からの熱媒が蓄熱槽１２からの熱媒よりも高温となる状況において、太陽熱集熱器１１から直接吸収式冷温水機２１に熱媒を供給することとなり、吸収式冷温水機２１においてより効率の良い運転を行うことができる。従って、より運転効率の向上を図ることが可能な吸収式冷温水システム１を提供することができる。
【００５５】
また、集熱器温度センサ３３により検出された熱媒温度Ｔ１が蓄熱槽温度センサ３４により検出された熱媒温度Ｔ２以下である場合、太陽熱集熱器１１からの熱媒を蓄熱槽１２に供給させる。さらに、集熱器温度センサ３３により検出された熱媒温度Ｔ１が蓄熱槽温度センサ３４により検出された熱媒温度Ｔ２よりも所定温度ΔＴ以上高くなく、且つ、集熱器温度センサ３３により検出された熱媒温度Ｔ１が蓄熱槽温度センサ３４により検出された熱媒温度Ｔ２以下でない場合、切替弁３１を現在の状態で維持する。このように、切替弁３１の制御には、温度ヒステリシスを設けることとなり、頻繁に切替弁３１が切り替わってしまうことを防止することができる。
【００５６】
また、集熱器温度センサ３３により検出された熱媒温度Ｔ１が、吸収式冷温水機２１に供給すべき適正温度である熱媒許容温度の上限値以上である場合、切替弁３１を制御して太陽熱集熱器１１からの熱媒を蓄熱槽１２に供給させる。このため、たとえ集熱器温度センサ３３により検出された熱媒温度Ｔ１が蓄熱槽温度センサ３４により検出された熱媒温度Ｔ２よりも所定温度ΔＴ以上高く、バイパス流路３２を通じて太陽熱集熱器１１からの熱媒を吸収式冷温水機２１の再生器１０１に供給させている状況であっても、集熱器温度センサ３３により検出された熱媒温度Ｔ１が熱媒許容温度の上限値以上である場合には、熱媒を蓄熱槽１２に供給させることとなる。これにより、再生器１０１において濃溶液が濃くなりすぎるなど、吸収式冷温水機２１にダメージを与えてしまうことを防止することができる。
【００５７】
また、バイパス流路３２を通じて太陽熱集熱器１１からの熱媒を吸収式冷温水機２１の再生器１０１に供給する場合、熱媒ポンプ２３を動作させず、集熱ポンプ１４を動作させるため、２つのポンプ１４，２３のうち一方のみを動作させることにより、太陽熱集熱器１１からの熱媒を吸収式冷温水機２１の再生器１０１に供給することができる。
【００５８】
以上、実施形態に基づき本発明を説明したが、本発明は上記実施形態に限られるものではなく、本発明の趣旨を逸脱しない範囲で、変更を加えてもよい。
【００５９】
例えば、上記実施形態では吸収式冷温水機２１を含む吸収式冷温水システム１を例示したが、特に吸収式冷温水機２１に限らず、吸収式冷凍機であってもよい。
【符号の説明】
【００６０】
１…吸収式冷温水システム
１０…第１システム
１１…太陽熱集熱器（集熱器）
１２…蓄熱槽
１３…集熱流路
１４…集熱ポンプ（第１ポンプ）
２０…第２システム
２１…吸収式冷温水機
２２…熱媒流路
２３…熱媒ポンプ（第２ポンプ）
３１…切替弁
３２…バイパス流路
３３…集熱器温度センサ（第１温度センサ）
３４…蓄熱槽温度センサ（第２温度センサ）
３５…逆止弁
３６…システムコントローラ（制御手段）
【図１】
2015081728.tif 000003
【図２】
2015081728.tif 000004
【図３】
2015081728.tif 000005